(57)【要約】      （修正有）【課題】サブハウジング単体時において端子金具のタブ部を保護することが可能なコネクタを提供する。【解決手段】メインハウジングと、相手側コネクタとの嵌合方向前方にタブ部６１突出させて端子金具６０を保持し、前記メインハウジングに収容されるサブハウジング２０と、前記タブ部６１を包囲する包囲部５２、および前記タブ部６１を位置決めする位置決め孔５３を有して前記サブハウジング２０に取り付けられ、前記相手側コネクタとの嵌合に伴って前記嵌合方向の後方に移動するムービング部品４０と、を備えている。【選択図】図１５
2017157494.tif 000002
【特許請求の範囲】
【請求項１】
メインハウジングと、
相手側コネクタとの嵌合方向前方にタブ部を突出させて端子金具を保持し、前記メインハウジングに収容されるサブハウジングと、
前記タブ部を包囲する包囲部、および前記タブ部を位置決めする位置決め孔を有して前記サブハウジングに取り付けられ、前記相手側コネクタとの嵌合に伴って前記嵌合方向の後方に移動するムービング部品と、
を備えているコネクタ。
【請求項２】
前記ムービング部品が、前記サブハウジングに外嵌する外嵌部を有している請求項１に記載のコネクタ。
【請求項３】
前記ムービング部品が、前記相手側コネクタが嵌合する嵌合部を有している請求項１または請求項２に記載のコネクタ。
【請求項４】
前記嵌合方向と交差する方向から前記サブハウジングの内部に差し入れられて前記端子金具に係止するリテーナを有し、
前記リテーナが正規の深さ位置に差し入れられていない状態では、前記ムービング部品が前記リテーナに当接して前記嵌合方向後方への移動が制限され、前記リテーナが正規の深さ位置に差し入れられている状態では、前記ムービング部品が前記リテーナに当接することなく前記嵌合方向後方への移動が許容されるようになっている請求項１ないし請求項３のいずれか一項に記載のコネクタ。
【発明の詳細な説明】
【技術分野】
【０００１】
本発明は、コネクタに関する。
【背景技術】
【０００２】
従来、ムービングプレートを備えたコネクタが知られている。ムービングプレートは、端子金具のタブ部の前端を位置決め孔に貫通させることで、タブ部を整列させるものであり、相手側コネクタとの嵌合に伴って後方に移動するようになっている。この種のコネクタにおいて、例えば下記特許文献１に記載されたものは、端子金具を保持するサブハウジングが、メインハウジングに収容されるものであり、ムービングプレートはメインハウジングに組み込まれている。
【先行技術文献】
【特許文献】
【０００３】
【特許文献１】特開２０１１−４４３８６号公報
【発明の概要】
【発明が解決しようとする課題】
【０００４】
しかしながら、上記のような構成では、メインハウジングに収容する前のサブハウジング単体時には、端子金具のタブ部がサブハウジングから突出した状態で露出している。このため、単体時のサブハウジングには、端子金具を保護するべくキャップ等を被せる必要がある。また、キャップを取り外してサブハウジングをメインハウジングに収容する際には、タブ部が保護されていないため、タブ部の屈曲等が懸念される。
【０００５】
本発明は上記のような事情に基づいて完成されたものであって、サブハウジング単体時において端子金具のタブ部を保護することが可能なコネクタを提供することを目的とする。
【課題を解決するための手段】
【０００６】
本発明のコネクタは、メインハウジングと、相手側コネクタとの嵌合方向前方にタブ部を突出させて端子金具を保持し、前記メインハウジングに収容されるサブハウジングと、前記タブ部を包囲する包囲部、および前記タブ部を位置決めする位置決め孔を有して前記サブハウジングに取り付けられ、前記相手側コネクタとの嵌合に伴って前記嵌合方向の後方に移動するムービング部品と、を備えている。
【発明の効果】
【０００７】
本発明によれば、サブハウジングに取り付けられたムービング部品の包囲部によってタブ部が保護されるから、サブハウジング単体時において端子金具のタブ部を保護することができる。
【図面の簡単な説明】
【０００８】
【図１】本実施例におけるコネクタであって、相手側コネクタとの正規の嵌合状態を示す断面図
【図２】メインハウジングを示す正面図
【図３】メインハウジングを示す断面図
【図４】サブハウジングを示す正面図
【図５】サブハウジングを示す側面図
【図６】サブハウジングを示す平面図
【図７】ムービング部品を示す正面図
【図８】ムービング部品を示す側面図
【図９】ムービング部品を示す平面図
【図１０】ムービング部品を示す断面図であって、図７のＡ−Ａ位置における断面に相当する断面図
【図１１】ムービング部品を取り付けた状態のサブハウジングを示す正面図
【図１２】ムービング部品を取り付けた状態のサブハウジングを示す側面図
【図１３】ムービング部品を取り付けた状態のサブハウジングを示す平面図
【図１４】ムービング部品を取り付けた状態のサブハウジングを示す断面図であって、図１１のＢ−Ｂ位置における断面に相当する断面図
【図１５】ムービング部品を取り付けた状態のサブハウジングを示す断面図であって、図１１のＣ−Ｃ位置における断面に相当する断面図
【図１６】サブハウジングをメインハウジングに収容した状態を示す断面図であって、図１１のＢ−Ｂ位置における断面に相当する断面図
【図１７】サブハウジングをメインハウジングに収容した状態を示す断面図であって、図１１のＣ−Ｃ位置における断面に相当する断面図
【図１８】相手側コネクタによってムービング部品の初期ロックが解除される様子を示す断面図
【発明を実施するための形態】
【０００９】
本発明の好ましい形態を以下に示す。
本発明のコネクタは、前記ムービング部品が、前記サブハウジングに外嵌する外嵌部を有しているものとしてもよい。このような構成によれば、包囲部および嵌合部を有するムービング部品は、相手側コネクタとの嵌合方向に長い形状をなしているから、相手側コネクタとの嵌合時にムービング部品がメインハウジングに摺接し、ムービング部品の移動が良好に案内される。
【００１０】
また、本発明のコネクタは、前記ムービング部品が、前記相手側コネクタが嵌合する嵌合部を有しているものとしてもよい。このような構成によれば、相手側コネクタがムービング部品の嵌合部に嵌合することにより、相手側コネクタが正しい姿勢で嵌合される。
【００１１】
また、本発明のコネクタは、前記嵌合方向と交差する方向から前記サブハウジングの内部に差し入れられて前記端子金具に係止するリテーナを有し、前記リテーナが正規の深さ位置に差し入れられていない状態では、前記ムービング部品が前記リテーナに当接して前記嵌合方向後方への移動が制限され、前記リテーナが正規の深さ位置に差し入れられている状態では、前記ムービング部品が前記リテーナに当接することなく前記嵌合方向後方への移動が許容されるようになっているものとしてもよい。このような構成によれば、ムービング部品の移動が可能か否かによって、リテーナの半嵌合を検知することができる。
【００１２】
＜実施例＞
以下、本発明を具体化した一実施例について、図１〜図１８を参照しつつ詳細に説明する。
本実施例におけるコネクタＣは、雄コネクタであって、メインハウジング１０と、メインハウジング１０に収容されるサブハウジング２０と、サブハウジング２０に取り付けられるムービング部品４０と、タブ部６１を有する雄型の端子金具６０とを備えている。コネクタＣは、相手側の雌コネクタ（以後、相手側コネクタ７０と称する）と嵌合可能とされている。
【００１３】
ムービング部品４０は、図１４に示すように、サブハウジング２０に対して予め初期位置に取り付けられ、サブハウジング２０がメインハウジング１０に収容された後、相手側コネクタ７０が嵌合する際に後方に移動し、相手側コネクタ７０とコネクタＣとの嵌合が完了したときに、嵌合位置に至るものとされている（図１参照）。
【００１４】
ムービング部品４０とサブハウジング２０とは、図１５に示すように、ムービング部品４０を初期位置にロックする第１ロック手段Ｍ１及び第２ロック手段Ｍ２を有している。第１ロック手段Ｍ１は、初期位置のムービング部品４０が後方に移動することを制限し、第２ロック手段Ｍ２は、初期位置のムービング部品４０が前方に移動することを制限するものである。
【００１５】
以下、各構成部材において、各コネクタＣ，７０の嵌合面側（コネクタＣにおいては図１の左側、相手側コネクタ７０においては図１の右側）を前方とし、また、図１の上側を上方、下側を下方として説明する。
【００１６】
相手側コネクタ７０は、合成樹脂製のハウジング(以後、相手側ハウジング７１と称する）と、雌型の端子金具（以後、相手側端子金具７２と称する）とを備えている。
【００１７】
相手側ハウジング７１は、後述するサブハウジング２０の第１ロック部２９が前方から挿入されるロック挿入部７３を有している。ロック挿入部７３は、全周が閉じた孔形状をなして、前方に開口している。
【００１８】
相手側ハウジング７１は、図１８に示すように、第１ロック手段Ｍ１のロック状態を解除するロック解除部７５を有している。ロック解除部７５は、ロック挿入部７３の内部に突設されている。
【００１９】
ロック解除部７５の前面には、第１ロック部２９に当接して、第１ロック部２９をロック解除方向に撓ませるように傾斜した解除傾斜面７５Ａが形成されている。解除傾斜面７５Ａは、後方に向かって次第に突出寸法が増すように傾斜している。
【００２０】
ロック解除部７５の後面には、コネクタＣと相手側コネクタ７０とを離脱する際に、サブハウジング２０の第１ロック部２９がロック解除部７５をスムーズに乗り越えるように誘導する誘導傾斜面７５Ｂが形成されている。誘導傾斜面７５Ｂは、前方に向かって次第に突出寸法が増すように傾斜している。
【００２１】
ロック挿入部７３のうちロック解除部７５の前方には、図１に示すように、後述するムービング部品４０の第１ロック受け部４４が収容されるロック収容部７６が設けられている。
【００２２】
メインハウジング１０は、合成樹脂製であって、縦長ブロック状をなすハウジング本体部１１と、ハウジング本体部１１の前面に一体に連なって周縁部から前方へ突出する縦長角筒状のフード部１２とを有している。
【００２３】
ハウジング本体部１１の上端部および下端部には、サイズの大きい端子金具（図示せず）が収容される端子収容部１３が設けられている。
【００２４】
ハウジング本体部１１の上下方向における中央部には、サイズの小さい端子金具６０を保持したサブハウジング２０が収容されるハウジング収容部１４が設けられている。ハウジング収容部１４は、ムービング部品４０が取り付けられた状態のサブハウジング２０と対応する断面形状をなしてハウジング本体部１１を前後方向に貫通している。
【００２５】
ハウジング収容部１４には、正規に組み付けられたサブハウジング２０を抜け止めする一対の抜け止め部１５が設けられている（図２参照）。一対の抜け止め部１５は、ハウジング収容部１４の上下両面に設けられている。抜け止め部１５は、図１６に示すように、前方が自由端の片持ち状をなして、ハウジング収容部１４の後端部に設けられている。
【００２６】
ハウジング収容部１４には、後述するサブハウジング２０の第１リブ２５を受け入れる一対の受け溝１６が設けられている（図３参照）。一対の受け溝１６は、ハウジング収容部１４の左右両側面に設けられている。受け溝１６の前端は、正規の収容位置に至ったサブハウジング２０が当て止めされる当て止め部１７となっている。
【００２７】
メインハウジング１０には、レバー１８が組み付けられている。レバー１８は、フード部１２の両側壁の外面に沿って板状をなす一対のアーム部１８Ａと、両アーム部１８Ａの上端同士を連結する操作部１８Ｂとを有する。一対のアーム部１８Ａには、相手側コネクタ７０に突設された左右一対のカムピンと係合可能なカム溝（図示せず）が形成されている。レバー１８の操作部１８Ｂを回動することで、カムピンとカム溝との係合によるカム作用が発揮され、コネクタＣと相手側コネクタ７０とが正規深さで嵌合し、または離脱するようになっている。
【００２８】
サブハウジング２０は、合成樹脂製であって、略ブロック状をなし、ハウジング収容部１４に後方から挿入されて収容される。サブハウジング２０の内部には、電線６２の端末部に接続された端子金具６０が収容される複数のキャビティ２１が前後方向に貫通して形成されている。キャビティ２１には、端子金具６０を抜け止めする撓み可能なランス２２が設けられている。
【００２９】
サブハウジング２０は、端子金具６０に係止するサイドタイプのリテーナ２３を有している。リテーナ２３は、上方（嵌合方向と交差する方向）から下方に差し入れられ、サブハウジング２０の内部に所定の深さまで差し入れられる。リテーナ装着部２４に正規深さまで挿入されたリテーナ２３は、サブハウジング２０の内部に全体が収容された状態になり、ランス２２とともに端子金具６０を係止する。
【００３０】
リテーナ装着部２４は、サブハウジング２０のうちランス２２よりも後方（サブハウジング２０の前後方向における中心部）に、各キャビティ２１と連通して形成されている。リテーナ装着部２４は、サブハウジング２０の上面に開口している。
【００３１】
サブハウジング２０の外面には、図４に示すように、前後方向に長い第１リブ２５および第２リブ２６が突設されている。第１リブ２５および第２リブ２６は、サブハウジング２０の左右両側面に設けられている。第１リブ２５および第２リブ２６は、サブハウジング２０の左右方向（幅方向）における中心を基準に対称な形状をなしている。
【００３２】
第１リブ２５は、サブハウジング２０の上下方向における中央部に設けられている。第１リブ２５の上下両面は、互いに略平行をなすとともに、サブハウジング２０の側面に対して略直角をなしている。第１リブ２５は、図５に示すように、サブハウジング２０の前後方向の略中央部前方位置から後端まで延出している。第１リブ２５の突出寸法は、後述するムービング部品４０の外嵌部４２の厚さ寸法よりも大きい寸法とされている。
【００３３】
第２リブ２６は、第１リブ２５の上下両側に設けられている。第２リブ２６は、サブハウジング２０の前後方向の略中央部前方位置から前後方向における中心部まで延出している。第２リブ２６の前端の位置は、第１リブ２５の前端の位置と揃っており、第２リブ２６の全長は、第１リブ２５の全長の半分程度とされている。また、第２リブ２６の突出寸法は、図４に示すように、第１リブ２５の突出寸法の半分程度とされている。第２リブ２６は、上下両面が、根元から突出端に向かって上下方向の寸法が次第に増すように傾斜した台形断面をなしている。
【００３４】
サブハウジング２０の外面には、メインハウジング１０の抜け止め部１５が係止する一対の突部２７が突設されている。一対の突部２７は、サブハウジング２０の後端部に設けられるとともに、対角状に位置する角部に配されている。
【００３５】
突部２７は、図５に示すように、サブハウジング２０の上下両面に一段突出して設けられた段差部２８に形成されている。突部２７の後面は、抜け止め部１５が係止する係止面２７Ａとされ、前後方向に対して略直角をなしている。突部２７の前面は、サブハウジング２０をハウジング収容部１４に収容する際に、抜け止め部１５を外側に退避させるように誘導する誘導面２７Ｂであり、後方に向かって次第に突出寸法が増すように傾斜している。
【００３６】
サブハウジング２０は、第１ロック手段Ｍ１を構成する第１ロック部２９を有している。第１ロック部２９は、サブハウジング２０の前面における中心部に設けられている。第１ロック部２９は、図４に示すように、第１リブ２５と同等の高さ位置に配され、正面側から見ると、全体として横長の扁平な形状をなしている。
【００３７】
第１ロック部２９は、図５に示すように、サブハウジング２０の前面から前方に突出して設けられ、前方が自由端の片持ち状をなし、上下方向に弾性撓み可能とされている。第１ロック部２９の前端部には、上面側に突出したロック突起３１が設けられている。
【００３８】
ロック突起３１の前面には、図１５に示すように、後述するムービング部品４０の第１ロック受け部４４に後方から当接してムービング部品４０の後方移動を制限するロック面３１Ａが形成されている。ロック面３１Ａは、前後方向に対して略直角をなしている。ロック面３１Ａを、正面側から見ると、ロック突起３１の幅方向において半分以上の領域に形成されている（図４参照）。
【００３９】
また、ロック突起３１の前面には、相手側コネクタ７０のロック解除部７５に押圧されて第１ロック部２９をロック解除方向に撓ませるロック解除面３１Ｂが形成されている。ロック解除面３１Ｂは、図５に示すように、後方に向かって次第に突出寸法が増すように傾斜している。ロック解除面３１Ｂの傾斜は、相手側コネクタ７０の解除傾斜面７５Ａの傾斜と同等の勾配とされている。ロック解除面３１Ｂは、ロック面３１Ａと幅方向に隣接してロック突起３１の幅方向における端部に形成されている。
【００４０】
サブハウジング２０の上面には、図６に示すように、後端から前端近傍まで直線状に延びる溝部３２が形成されている。溝部３２は、サブハウジング２０の幅方向における中央部に形成されている。溝部３２の前端よりも前側の部分が、後述するムービング部品４０の第２ロック受け部４５に係止する第２ロック部３３とされている。第２ロック部３３は、第２ロック手段Ｍ２を構成する。
【００４１】
ムービング部品４０は、合成樹脂製であって、図１４に示すように、前方に開口して相手側コネクタ７０が嵌合する嵌合部４１と、後方に開口してサブハウジング２０に外嵌する外嵌部４２と、嵌合部４１と外嵌部４２との間に設けられた隔壁部４３とを備えている。嵌合部４１は、相手側コネクタ７０の外形に整合した横長の角筒状をなし、隔壁部４３の周縁部から前方へ突出している。外嵌部４２は、サブハウジング２０の外形に整合した横長の角筒状をなし、隔壁部４３の周縁部から後方へ突出している。
【００４２】
ムービング部品４０は、図１５に示すように、第１ロック手段Ｍ１を構成する第１ロック受け部４４と、第２ロック手段Ｍ２を構成する第２ロック受け部４５とを有している。第１ロック受け部４４は、隔壁部４３に設けられ、第２ロック受け部４５は、外嵌部４２に設けられている。
【００４３】
外嵌部４２には、図７に示すように、サブハウジング２０に設けられた第１リブ２５が差し入れられる第１溝４６と、第２リブ２６が差し入れられる第２溝４７とが設けられている。第１溝４６および第２溝４７は、外嵌部４２の左右両側壁に形成されている。
【００４４】
第１溝４６は、図８に示すように、外嵌部４２の後端から隔壁部４３に至るまでの全長にわたって前後方向に直線状に形成され、外嵌部４２を内外方向に貫通するとともに後方に開放された形態をなしている。第１溝４６は、外嵌部４２の上下方向における中央部に形成されている。第１溝４６の上下両面は、外嵌部４２の外面に対して略直角をなしている。
【００４５】
第２溝４７は、外嵌部４２の内側面に凹み形成されており、第２リブ２６と整合した断面形状を有するアリ溝状をなしてる。第２溝４７は、外嵌部４２の後端から前端寄りの位置まで延びて、第１溝４６の前端よりも後方の位置で留まっている。
【００４６】
外嵌部４２には、図１５に示すように、第２ロック受け部４５が設けられている。第２ロック受け部４５は、外嵌部４２の内面に突設され、外嵌部４２の幅方向における略中心に位置している。第２ロック受け部４５の前面には、サブハウジング２０の第２ロック部３３に後方から係止する第２ロック受け面４５Ａが形成され、後面には、第２ロック部３３をスムーズに乗り越えるように傾斜する乗越傾斜面４５Ｂが形成されている。第２ロック受け部４５が第２ロック受け部４５に係止することにより、ムービング部品４０がサブハウジング２０から前方に離脱することを防ぐことができる。
【００４７】
ムービング部品４０の外嵌部４２には、図１３に示すように、サブハウジング２０のリテーナ装着部２４を外側に開放する開放凹部４８が設けられている。開放凹部４８は、ムービング部品４０の後端部に設けられ、外嵌部４２の上壁の概ね全幅にわたって前方に凹んだ形状で形成されている。
【００４８】
ムービング部品４０の外面には、メインハウジング１０の抜け止め部１５が通過可能な通過路４９が凹設されている。通過路４９は、抜け止め部１５の形状に対応した断面形状をなしている（図７参照）。通過路４９は、ムービング部品４０の上下両面に設けられ、サブハウジング２０の突部２７に対応した角部に位置している。通過路４９は、ムービング部品４０の後端から前端に至る全長にわたって形成され、上面側の通過路４９の後端は開放凹部４８に臨んでいる。
【００４９】
ムービング部品４０の後端部には、ムービング部品４０が嵌合位置に至るときに、サブハウジング２０の段差部２８および突部２７が入り込む逃がし凹部５１が形成されている（図９参照）。逃がし凹部５１は、外嵌部４２の上壁および下壁に設けられ、外嵌部４２の後端部を前方に凹ませて形成されている。なお、上壁の逃がし凹部５１は、開放凹部４８の一部を兼ねている。
【００５０】
ムービング部品４０は、図１４に示すように、サブハウジング２０の前面から前方（相手側コネクタ７０との嵌合方向前方）に突出したタブ部６１を包囲する包囲部５２を有している。包囲部５２は、外嵌部４２の前端部であって、外嵌部４２のうちムービング部品４０が初期位置にあるときの隔壁部４３とサブハウジング２０の前面との間に配される部分である。包囲部５２は、サブハウジング２０から突出した全てのタブ部６１を一括して包囲可能な筒状をなしている。
【００５１】
隔壁部４３には、図１４に示すように、タブ部６１を位置決めする複数の位置決め孔５３が設けられている。複数の位置決め孔５３は、隔壁部４３に貫通して形成されている。
【００５２】
隔壁部４３には、図１５に示すように、第１ロック部２９が後方から係止可能な第１ロック受け部４４が設けられている。第１ロック受け部４４は、第１ロック手段Ｍ１を構成している。第１ロック受け部４４は、隔壁部４３の中央部に設けられている。
【００５３】
第１ロック受け部４４は、隔壁部４３から前方に突出するとともに第１ロック部２９のロック突起３１が貫通可能なロック貫通孔５４を有している。ロック貫通孔５４は、略方形をなしている。第１ロック受け部４４は、第１ロック部２９のロック面３１Ａが後方から当接可能な第１ロック受け面４４Ａを有している。第１ロック受け面４４Ａは、ロック貫通孔５４の前方の一部を塞ぐようにして、隔壁部４３よりも前方に離れた位置に形成されている。第１ロック受け面４４Ａは、ロック面３１Ａに対応してロック貫通孔５４の上部の片側の領域に設けられている。第１ロック受け面４４Ａは、ロック面３１Ａと面当たり可能とされている。
【００５４】
次に、本実施例におけるコネクタＣにおいて、サブハウジング２０にムービング部品４０を取り付ける作業の一例を説明する。
サブハウジング２０の前端部とムービング部品４０の外嵌部４２とを嵌め合わせると、サブハウジング２０の第１リブ２５および第２リブ２６が、ムービング部品４０の第１溝４６および第２溝４７にそれぞれ差し入れられて、上下方向のガタつきや相対的な傾きが抑制される。なお、第１リブ２５は、第１溝４６を突き抜けてサブハウジング２０の外側に突出する。
【００５５】
サブハウジング２０とムービング部品４０とをさらに深く嵌合させると、図１４に示すように、端子金具６０のタブ部６１の先端が、位置決め孔５３に挿入されて、ムービング部品４０が初期位置に至る。このとき、図１５に示すように、第１ロック部２９のロック突起３１がロック貫通孔５４に入り込み、ロック面３１Ａが第１ロック受け面４４Ａに後方から当接して、サブハウジング２０の前進が抑制される。また、サブハウジング２０の第２ロック部３３がムービング部品４０の第２ロック受け部４５を乗り越え、第２ロック受け部４５と第２ロック部３３とが係止し、サブハウジング２０の後進が抑制される。これにより、ムービング部品４０は、サブハウジング２０に対して初期位置にロックされた状態で取り付けられる。
【００５６】
ムービング部品４０が初期位置に取り付けられた状態では、全てのタブ部６１の先端が隔壁部４３の位置決め孔５３に保持され、全てのタブ部６１が包囲部５２に包囲されて保護された状態になっている。また、外嵌部４２は、サブハウジング２０の略前半部を包囲し、リテーナ２３は、開放凹部４８によって外部に露出した状態になっている。第１リブ２５および第２リブ２６は、第１溝４６および第２溝４７の途中位置に配されている。サブハウジング２０の段差部２８および突部２７は、図１４に示すように、逃がし凹部５１の後方にずれた位置に配されている。
【００５７】
次に、本実施例のコネクタＣにおいて、メインハウジング１０にサブハウジング２０を組み付ける作業の一例を説明する。
メインハウジング１０のハウジング収容部１４に、ムービング部品４０が取り付けられたサブハウジング２０を、後方から挿入する。ハウジング収容部１４の抜け止め部１５が、ムービング部品４０の通過路４９に入り、サブハウジング２０は前進する。その後、サブハウジング２０の突部２７の誘導面２７Ｂが抜け止め部１５に当接し、誘導面２７Ｂの傾斜によって抜け止め部１５が弾性撓みし、突部２７が抜け止め部１５を乗り越えると抜け止め部１５が弾性復帰し、突部２７の係止面２７Ａに係止した状態になる(図１６，１７参照）。これにより、サブハウジング２０は、ハウジング収容部１４から後方へ離脱することが抑制される。また、第１リブ２５の前端が、メインハウジング１０の当て止め部１７に突き当たり、サブハウジング２０の前進が抑制された状態になる。
【００５８】
次に、本実施例のコネクタＣと相手側コネクタ７０との嵌合作業の一例を説明する。
相手側コネクタ７０をメインハウジング１０のフード部１２に浅く嵌合し、相手側コネクタ７０のカムピンをレバー１８のカム溝に係合させ、レバー１８を初期位置から嵌合方向に回動する。
【００５９】
すると、相手側コネクタ７０が前進し、ロック解除部７５の解除傾斜面７５Ａと第１ロック部２９のロック解除面３１Ｂとが当接し、第１ロック部２９がロック解除方向に弾性撓みしてロック解除部７５に載り上がる。これにより、第１ロック部２９のロック面３１Ａと、第１ロック受け部４４の第１ロック受け面４４Ａとが上下にずれて係止解除される。また、ロック収容部７６に第１ロック受け部４４が収容され、相手側コネクタ７０の前面が隔壁部４３の前面に当接し、相手側コネクタ７０はムービング部品４０とともに前進する。ここで、サブハウジング２０のリテーナ２３が正規の位置に差し入れられていない状態では、リテーナ装着部２４から突出しているリテーナ２３にムービング部品４０の後端が当接して、ムービング部品４０および相手側コネクタ７０の前進が制限される。これにより、リテーナ２３が半挿入状態であることを検知することができるので、確実にリテーナ２３を正規の位置に差し入れることができる。
【００６０】
リテーナ２３が正規の位置に差し入れられている状態では、ムービング部品４０がリテーナ２３に当接することなく、相手側コネクタ７０とともに前進する。第１ロック部２９は、図１８に示すように、ロック解除部７５を乗り越え、ムービング部品４０の第２ロック受け部４５は、サブハウジング２０の溝部３２を後方へ移動し、サブハウジング２０の段差部２８および突部２７は逃がし凹部５１に入り込む。やがて、レバー１８が嵌合位置に至ると、図１に示すように、第１ロック部２９はロック解除部７５の前方に至って弾性復帰し、相手側コネクタ７０とコネクタＣとが正規の嵌合状態になる。このとき、ムービング部品４０の隔壁部４３はサブハウジング２０の前面に当接した状態になる。また、リテーナ装着部２４の全体が外嵌部４２に覆われた状態になる。
以上により、コネクタＣの嵌合作業が完了する。
【００６１】
次に、本実施例のコネクタＣと相手側コネクタ７０との離脱作業の一例を説明する。
レバー１８を嵌合位置から初期位置に回動操作することにより、相手側コネクタ７０は次第に後方に移動する。すると、第１ロック部２９の後面の傾斜面にロック解除部７５の誘導傾斜面７５Ｂが当接し、互いの傾斜によって第１ロック部２９がロック解除部７５に乗り上がり、ロック解除部７５が第１ロック部２９のロック突起３１を乗り越える。第１ロック部２９は弾性復帰し、相手側コネクタ７０はムービング部品４０およびサブハウジング２０から離れ、やがて離脱される。ムービング部品４０は、サブハウジング２０とともにメインハウジング１０に組み付けられた状態で保持される。
以上により、コネクタＣの離脱作業が完了する。
【００６２】
次に、上記のように構成された実施例の作用および効果について説明する。
本実施例のコネクタＣは、メインハウジング１０と、相手側コネクタ７０との嵌合方向前方にタブ部６１を突出させて端子金具６０を保持し、メインハウジング１０に収容されるサブハウジング２０と、タブ部６１を包囲する包囲部５２、およびタブ部６１を位置決めする位置決め孔５３を有してサブハウジング２０に取り付けられ、相手側コネクタ７０との嵌合に伴って嵌合方向の後方に移動するムービング部品４０と、を備えている。この構成によれば、サブハウジング２０に取り付けられたムービング部品４０の包囲部５２によってタブ部６１が保護されるから、サブハウジング２０単体時において端子金具６０のタブ部６１を保護することができる。
【００６３】
また、ムービング部品４０が、サブハウジング２０に外嵌する外嵌部４２を有している。この構成によれば、包囲部５２および嵌合部４１を有するムービング部品４０は、相手側コネクタ７０との嵌合方向に長い形状をなしているから、相手側コネクタ７０との嵌合時にムービング部品４０がメインハウジング１０に摺接し、ムービング部品４０の移動が良好に案内される。
【００６４】
また、ムービング部品４０が、相手側コネクタ７０が嵌合する嵌合部４１を有している。この構成によれば、相手側コネクタ７０がムービング部品４０の嵌合部４１に嵌合することにより、相手側コネクタ７０が正しい姿勢で嵌合される。
【００６５】
また、嵌合方向と交差する方向からサブハウジング２０の内部に差し入れられて端子金具６０に係止するリテーナ２３を有し、リテーナ２３が正規の深さ位置に差し入れられていない状態では、ムービング部品４０がリテーナ２３に当接して後方への移動が制限され、リテーナ２３が正規の位置に差し入れられている状態では、ムービング部品４０がリテーナ２３に当接することなく後方への移動が許容されるようになっている。この構成によれば、ムービング部品４０の移動が可能か否かによって、リテーナ２３の半挿入を検知することができるから、リテーナ２３が正規の位置に差し入れられていない状態で留め置かれることを防ぐことができる。
【００６６】
＜他の実施例＞
本発明は上記記述及び図面によって説明した実施例に限定されるものではなく、例えば次のような実施例も本発明の技術的範囲に含まれる。
（１）上記実施例では、メインハウジング１０にレバー１８が備えられているが、これに限らず、本発明は、レバーが備えられていないコネクタにも適用することができる。
（２）上記実施例では、サブハウジング２０にリテーナ２３が備えられているが、これに限らず、必ずしもリテーナは備えられていなくてもよい。
（３）上記実施例では、サブハウジング２０のリブ２５，２６およびムービング部品４０の溝４６，４７に関し具体的な構成を例示したが、これらの構成は任意に変更することができる。
（４）上記実施例では、サブハウジング２０に対しムービング部品４０を初期位置にロックするロック手段Ｍ１，Ｍ２の具体的な構成を例示したが、これらの構成は任意に変更することができる。
（５）上記実施例では、ムービング部品４０が嵌合部４１を備えているが、必ずしも嵌合部を備えていなくてもよい。
（６）上記実施例では、ムービング部品４０が外嵌部４２を備えているが、必ずしも外嵌部を備えていなくてもよい。
（７）上記実施例では、メインハウジング１０が一のハウジング収容部１４を備えているが、これに限らず、メインハウジングは複数のハウジング収容部を備えていもよい。
【符号の説明】
【００６７】
Ｃ…コネクタ
１０…メインハウジング
２０…サブハウジング
２３…リテーナ
４０…ムービング部品
４１…嵌合部
４２…外嵌部
５２…包囲部
５３…位置決め孔
６０…端子金具
６１…タブ部
７０…相手側コネクタ
【図１】
2017157494.tif 000003
【図２】
2017157494.tif 000004
【図３】
2017157494.tif 000005
【図４】
2017157494.tif 000006
【図５】
2017157494.tif 000007
【図６】
2017157494.tif 000008
【図７】
2017157494.tif 000009
【図８】
2017157494.tif 000010
【図９】
2017157494.tif 000011
【図１０】
2017157494.tif 000012
【図１１】
2017157494.tif 000013
【図１２】
2017157494.tif 000014
【図１３】
2017157494.tif 000015
【図１４】
2017157494.tif 000016
【図１５】
2017157494.tif 000017
【図１６】
2017157494.tif 000018
【図１７】
2017157494.tif 000019
【図１８】
2017157494.tif 000020